(57)【要約】【課題】本発明は、自転及び公転が可能な３個の研磨板を利用して生産性を大きく増大させ、寿命を大きく向上させることができるようにする石材用研磨機の研磨ヘッドを提供する。【解決手段】本発明は、石材の表面を研磨する石材用研磨機の研磨ヘッドの構成において、移動可能なフレームに設置されるモーターと、モーターに連結される公転回転軸と、公転回転軸に固定されて公転回転軸と共に回転し、内側円周面に内輪ギヤが形成される円筒形状のギヤボックスと、ギヤボックスの内部に設置されて公転しながら同時に自転が可能になる多数の自転ギヤ軸と、ギヤボックスの内部に設置されて、公転回転軸と共に回転する軸固定板と、ギヤボックスの開放された上方を覆う上方覆いと、自転ギヤ軸の下端に固定されて自転及び公転する回転円盤と、回転円盤に固定されて、前記回転円盤と共に回転する研磨板とを含むことを特徴とする。【選択図】図４
2009522124.tif 000002
【特許請求の範囲】
【請求項１】
石材の表面を研磨する石材用研磨機の研磨ヘッドにおいて、
移動可能なフレームに設置されるモーターと、
前記モーターに連結されて回転する公転回転軸と、
前記公転回転軸に固定されて前記公転回転軸と一緒に回転し、上方が開放された円筒形状で形成され、内側円周面に内輪ギヤが形成される円筒形状のギヤボックスと、
前記ギヤボックスの内部に設置されて公転しながら同時に自転が可能になるように前記ギヤボックスの内輪ギヤと噛合され、下端が前記ギヤボックスの下面に設置された貫通口を貫通して突出される多数の自転ギヤ軸と、
前記ギヤボックスの内部に設置されて前記自転ギヤ軸の上端を回転自在に支持しており、前記公転回転軸に固定されて前記公転回転軸と共に回転する軸固定板と、
前記ギヤボックスの開放された上方を覆って、前記フレームに固定される上方覆いと、
前記自転ギヤ軸の下端に固定されて自転及び公転する回転円盤と、
前記回転円盤に固定されて、前記回転円盤と共に回転しながら石材の表面と接着して石材を摩耗させる研磨板と
を含んでなされており、
前記公転回転軸にスプラインが形成されており、前記ギヤボックスと前記軸固定板とには前記スプラインと結合されるスプライン溝が形成されることを特徴とする、石材用研磨機の研磨ヘッド。
【請求項２】
前記自転ギヤ軸は、前記ギヤボックスに前記公転回転軸を中心に３個が等角をなして、三角配置されることを特徴とする、請求項１に記載の石材用研磨機の研磨ヘッド。
【請求項３】
前記研磨板は、材質が金属とダイヤモンドであることを特徴とする、請求項１に記載の石材用研磨機の研磨ヘッド。
【発明の詳細な説明】
【技術分野】
【０００１】
本発明は、石材用研磨機の研磨ヘッドに関するものであり、より詳細には、自転及び公転が可能な３個の新しい研磨材質の研磨板を利用して生産性を大きく増大させて、寿命を大きく向上させることができるようにする石材用研磨機の研磨ヘッドに関するものである。
【背景技術】
【０００２】
一般に、原石から切削し出した石材は、表面を滑らかに研磨加工して建築材料として使われるものであり、このような石材の表面を研磨加工するために多様な従来の石材用研磨機の研磨ヘッドが使われている。
【０００３】
そのうちで通常最も一般的に広く使われる従来の石材用研磨機の研磨ヘッドは、移動が可能なフレームにモーターを固定設置して、モーターの回転軸にヘッドを連結して、ヘッドに回転する研磨石を固定させた後、多数の研磨石が並んで設置されたフレームを移動させるものであり、このようなフレームを移動させる同時に回転する研磨石に石材が接触されて摩擦されるように前記石材を移動させる方式でなされた。
【０００４】
特に、前記研磨石は加工される石材のような石材質でなされて、ひたすら１方向回転、すなわち自転ばかりするものであり、石材が光度９０程度の光沢を有するように前記石材と回転接触されるものである。
【０００５】
しかし、このような従来の石材用研磨機の研磨ヘッドは、第一に、自転回転だけで石材を研いて、研磨石が同じ石材質であるために石材の加工速度が非常に遅くて、研磨石の直径を大きくすることは限界があるために広い石材を研磨するために多くの個数の研磨石とモーターが設置されなければならないし、例えば８時間作業時にせいぜい１２０平方メートル(光度９０基準)しか生産することができなかった問題点があった。
【０００６】
第二に、従来の石材用研磨機の研磨ヘッドは、研磨石の材質が石材のような石材質であるために研磨石の摩耗がひどくて、８時間作業時に少なくとも５回ないし６回研磨機を止めて、研磨石を交換する程度に研磨石の交替費用が浪費されることは勿論、作業中断によって作業時間が遅滞されるなど作業に莫大な差し支えをもたらす問題点があった。
【０００７】
第三に、従来の石材用研磨機の研磨ヘッドは、研磨機の誤動作時に衝撃によって割れやすい石材質の研磨石が容易に破損されるために、略６個の研磨石が設置される場合、一日略３０回以上破損された研磨石によって機械が停止して作業が遅滞される問題点があった。
【０００８】
第四に、従来の石材用研磨機の研磨ヘッドは、上述された問題点らによって１平方メートル生産時に原価を計算して見ると、通常４個のヘッドに研磨石を設置して８時間の間に使って、一日５回交換する場合、すべて一日１６０個の研磨石が必要であって、研磨石１個当り１０００ウォンである時、研磨石の所要費用が１６０、０００ウォンであり、一日生産量が略１２０平方メートルであるので、１平方メートル当たり生産原価は、おおよそ１，３３３/m２になることで、生産原価が非常に高いという問題点があった。
【発明の開示】
【発明が解決しようとする課題】
【０００９】
前記のような問題点を解決するための本発明の目的は、研磨板が自転と同時に公転をして研磨板の直径を大きくするか、またはモーターをたくさん設置しなくても、広い表面の石材を速かに研磨加工することができるようにする石材用研磨機の研磨ヘッドを提供することにある。
【００１０】
また、本発明の他の目的は、研磨板の材質が金属とダイヤモンドであることで加工速度が速くて、研磨板の摩耗が極めて小さくて研磨板の交替費用及び交替時間を縮めさせて、石材の生産原価を大きく節減することができるようにする石材用研磨機の研磨ヘッドを提供することにある。
【課題を解決するための手段】
【００１１】
前記目的を達成するための本発明の石材用研磨機の研磨ヘッドは、石材の表面を研磨する石材用研磨機の研磨ヘッドにおいて、移動が可能なフレームに設置されるモーターと、該モーターに連結されて回転する公転回転軸と、該公転回転軸に固定されて前記公転回転軸と共に回転して、上方が開放された円筒形状で形成されて、内側円周面に内輪ギヤが形成される円筒形状のギヤボックスと、該ギヤボックスの内部に設置されて公転しながら同時に自転が可能になるように前記ギヤボックスの内輪ギヤと他のギヤらで噛合されて、下端が前記ギヤボックスの下面に設置された貫通口を貫通して突出される多数の自転ギヤ軸と、前記ギヤボックスの内部に設置されて前記自転ギヤ軸の上端を回転が自由に支持して、前記公転回転軸に固定されて前記公転回転軸と共に回転する軸固定板と、前記ギヤボックスの開放された上方を覆って、前記フレームに固定される上方覆いと、前記自転ギヤ軸の下端に固定されて自転及び公転する回転円盤と、前記回転円盤に固定されて、前記回転円盤と共に回転しながら石材の表面と接着して石材を摩耗させる研磨板と、を含んでなされることを特徴とする。
【００１２】
また、本発明によると、前記公転回転軸にスプラインが形成されて、前記ギヤボックスと軸固定板には前記スプラインと結合されるスプライン溝が形成されることができる。
【００１３】
また、本発明によると、前記自転ギヤ軸は前記ギヤボックスに前記公転回転軸を中心に３個が等角をなして三角配置されることが望ましい。
【００１４】
また、本発明によると、前記研磨板は材質が金属とダイヤモンドであることが望ましい。
【発明の効果】
【００１５】
本発明の石材用研磨機の研磨ヘッドによると、広い表面の石材を速かに研磨加工して生産性を大きく向上させることができるし、加工速度が速くて、研磨板の摩耗が極めて小さくて研磨板の交替費用及び交替時間を縮めさせて石材の生産原価を大きく節減することができる効果を有する。
【発明を実施するための最良の形態】
【００１６】
以下、本発明の望ましい一実施形態による石材用研磨機の研磨ヘッドを図面を参照して詳しく説明する。
【００１７】
先ず、図１、図２及び図４に示されるように、本発明の望ましい一実施形態による石材用研磨機の研磨ヘッドは、自転と同時に公転をする研磨板１０を利用して石材１の表面を研磨するものであり、大きくモーター１１と、公転回転軸１２と、ギヤボックス１３と、自転ギヤ軸１４と、軸固定板１５と、上方覆い１６と、回転円盤１７及び研磨板１０を含んでなされる構成である。
【００１８】
すなわち、前記モーター１１は、移動が可能なフレーム２に設置されるものであり、前記研磨板１０が自転と同時に公転するように、その回転力を前記研磨板１０に伝達するものである。
【００１９】
また、前記公転回転軸１２は、このような前記モーター１１に連結されて回転するものであり、上端は前記モーター１１に連結されて下端はスプライン１８が形成される形状である。
【００２０】
また、図２に示されるように、前記公転回転軸１２は内部に潤滑液供給ホール１２ａが形成されて、前記潤滑液供給ホール１２ａを通じて石材１の表面に潤滑液を供給するのが可能である。
【００２１】
また、前記ギヤボックス１３は、図３及び図４に示されるように、前記公転回転軸１２に固定されて、前記公転回転軸１２と共に回転されるように前記スプライン１８と結合されるスプライン溝１９が中央部に形成されて、全体的に上方が開放された円筒形状で形成されて、その内側円周面に前記自転ギヤ軸１４と噛合されるように内輪ギヤ１３ａが形成されるものである。
【００２２】
特に、本発明の前記自転ギヤ軸１４は、図３に示されるように、前記ギヤボックス１３の内部に設置されるものであり、公転しながら同時に自転が可能になるように前記ギヤボックス１３の内輪ギヤ１３ａと噛合されて、下端が前記ギヤボックス１３の下面に設置された貫通口２０を貫通して突出されるものである。
【００２３】
ここで、このような前記自転ギヤ軸１４は、図３及び図４に示されるように、前記ギヤボックス１３に前記公転回転軸１２を中心に３個が等角をなして三角配置されるのが望ましい。
【００２４】
上記以外にも、図示しなかったが、前記自転ギヤ軸１４は、前記ギヤボックス１３に前記公転回転軸１２を中心に２個が等角をなして配置されるか、または４個が等角をなして四角配置されるなど多数個が等角をなして配置されることがすべて可能である。
【００２５】
また、本発明の前記軸固定板１５は、前記ギヤボックス１３の内部に設置されて前記自転ギヤ軸１４の上端を回転が自由に支持するものであり、前記公転回転軸１２に固定されて前記公転回転軸１２と共に回転するものである。
【００２６】
ここで、前記公転回転軸１２に形成されたスプライン１８とキー結合されるように前記ギヤボックス１３と軸固定板１５には、前記スプライン１８と結合されるスプライン溝１９がそれぞれ形成される。
【００２７】
一方、図２及び図４に示されるように、前記上方覆い１６は、前記ギヤボックス１３の開放された上方を覆うものであり、前記フレーム２に固定されて前記ギヤボックス１３の回転時、前記ギヤボックス１３が回転されることを邪魔しないように前記ギヤボックス１３と所定距離が離隔されて設置されることができる。
【００２８】
また、図２及び図４に示されるように、前記回転円盤１７は、前記自転ギヤ軸１４の下端に固定されて自転及び公転するものであり、前記研磨板１０を支持するものである。
【００２９】
また、図２及び図４に示されるように、前記研磨板１０は、前記回転円盤１７に着脱が可能になるように固定されるものであり、自転と公転を同時にする前記回転円盤１７と共に自転及び公転しながら石材１の表面と接触して石材１を摩耗させるものである。
【００３０】
したがって、本発明の石材用研磨機の研磨ヘッドは、前記研磨板１０が自転と同時に広い回転半径を有する公転まで可能で、研磨板１０の直径を増やさなくても、少ない数字の研磨板１０とモーター１１を利用して、例えば、８時間作業時に３０００平方メートル(光度９０基準)を生産することができる利点がある。
【００３１】
特に、本発明の前記研磨板１０は既存の石材質ではなく、金属とダイヤモンドであるものであり、既存の石材研磨石に比べて耐久性、耐磨耗性、軟性、硬度が非常に優秀で加工性能を向上させて、加工時間を縮めることができることは勿論であり、高硬度の金属とダイヤモンドであることで、硬度が特に強化されることで石材加工後に摩耗される摩耗量が極めて小さくて、研磨板１０の交替回数がほとんど不必要な程度に著しく減らすことができるものである。
【００３２】
また、金属材質である前記研磨板１０の剛性が非常に優秀で、誤動作時にも破損されないものである。それで、上述された利点らによって、本発明の石材用研磨機の研磨ヘッドの１平方メートル生産時の原価を計算して見ると、通常３個の研磨板１０で８時間の間に使う場合、研磨板１０の１個当り４５，０００ウォンで、たとえ既存の研磨石より単価が高いように見えるが、すなわち、交換する必要がほとんどなくて、６個のヘッドに３個ずつの研磨板を使って研磨板の所要費用が総８１０，０００ウォンであるが、すべての生産量が３，０００平方メートルであるので、１平方メートル当たり生産原価は、略２７０/ｍ２がなるものであり、既存の略１，３３３/ｍ２であった従来の石材用研磨機の研磨ヘッドと比べて非常に顕著に生産原価を低めることができるものである。
【００３３】
本発明は上述した実施形態に限定されないし、本発明の思想を害しない範囲内で当業者による変形が可能であることは勿論である。
【００３４】
したがって、本発明で権利を請求する範囲は、詳細な説明の範囲内で決まるのではなく、後述される請求範囲とこれの技術的思想によって限定されるであろう。
【図面の簡単な説明】
【００３５】
【図１】本発明の望ましい一実施形態による多数の石材用研磨機の研磨ヘッドがフレームに設置された状態を示す使用状態斜視図である。
【図２】図１の石材用研磨機の研磨ヘッドの部分側断面図である。
【図３】図２のギヤボックスと自転ギヤ軸の噛合状態を示す平面図である。
【図４】図１の部品分解斜視図である。
【符号の説明】
【００３６】
１…石材、２…フレーム、１０…研磨板、１１…モーター、１２…公転回転軸、１２ａ…潤滑液供給ホール、１３…ギヤボックス、１３ａ…内輪ギヤ、１４…自転ギヤ軸、１５…軸固定板、１６…上方覆い、１７…回転円盤、１８…スプライン、１９…スプライン溝、２０…貫通口
【図１】
2009522124.tif 000003
【図２】
2009522124.tif 000004
【図３】
2009522124.tif 000005
【図４】
2009522124.tif 000006
【国際調査報告】
2009522124.tif 000007
2009522124.tif 000008